(57)【特許請求の範囲】
【請求項１】
超音波を被検体に送信すると共に、該被検体によって反射される超音波を受信して超音波検出信号を出力する複数の超音波トランスデューサを含む超音波探触子と、
前記超音波探触子から送信する超音波の送信周波数、または前記超音波探触子によって受信する超音波の受信周波数を、病変のミクロな構造のスケールに応じて予め定めた異なる２種類以上の送信周波数、または受信周波数に変更する変更手段と、
前記変更手段によって変更された異なる２種類以上の送信周波数または受信周波数における、異なる２以上の前記超音波トランスデューサの受信信号の関係に基づいて組織性状を診断するための指標を算出する算出手段と、
を備えた超音波診断装置。
【請求項２】
前記変更手段は、前記超音波探触子から送信する超音波の送信周波数を、病変の進行度に応じて予め定めた２種類以上の周波数に変更する請求項１に記載の超音波診断装置。
【請求項３】
前記変更手段は、前記超音波探触子によって受信する前記超音波検出信号の受信周波数を、病変の進行度に応じて予め定めた２種類以上の周波数に変更する請求項１に記載の超音波診断装置。
【請求項４】
前記算出手段は、予め定めた着目領域における超音波の異なる２以上の前記超音波トランスデューサの受信信号の関係に基づいて音響特性の不均一性を評価し、前記指標として算出する請求項１〜３の何れか１項に記載の超音波診断装置。
【請求項５】
前記算出手段は、予め定めた着目領域内の少なくとも１つ以上の着目点における音速または減衰の変化を求め、求めた音速または減衰に基づいて前記指標を算出する請求項１〜３の何れか１項に記載の超音波診断装置。
【請求項６】
前記算出手段によって算出された各周波数における前記指標を表示する表示手段を更に備えた請求項１〜５の何れか１項に記載の超音波診断装置。
【請求項７】
超音波を被検体に送信すると共に、該被検体によって反射される超音波を受信して超音波検出信号を出力する複数の超音波トランスデューサを含む超音波探触子から送信する超音波の送信周波数、または前記超音波探触子によって受信する超音波の受信周波数を、病変のミクロな構造のスケールに応じて予め定めた異なる２種類以上の送信周波数、または受信周波数に変更する変更手段によって、前記送信周波数または前記受信周波数を異なる２種類以上の周波数に変更する変更ステップと、
前記超音波トランスデューサの受信信号の関係に基づいて組織性状を診断するための指標を算出する算出手段によって、前記２種類以上の送信周波数または受信周波数のそれぞれについて前記指標を算出する算出ステップと、
を有する超音波診断装置の制御方法。
【請求項８】
前記変更ステップは、前記超音波探触子から送信する超音波の送信周波数を、病変の進行度に応じて予め定めた２種類以上の周波数に変更する請求項７に記載の超音波診断装置の制御方法。
【請求項９】
前記変更ステップは、前記超音波探触子によって受信する前記超音波検出信号の受信周波数を、病変の進行度に応じて予め定めた２種類以上の周波数に変更する請求項７に記載の超音波診断装置の制御方法。
【請求項１０】
前記算出ステップは、予め定めた着目領域における超音波の異なる２以上の前記超音波トランスデューサの受信信号の関係に基づいて音響特性の不均一性を評価し、前記指標として算出する請求項７〜９の何れか１項に記載の超音波診断装置の制御方法。
【請求項１１】
前記算出ステップは、予め定めた着目領域内の少なくとも１つ以上の着目点における音速または減衰の変化を求め、求めた音速または減衰に基づいて前記指標を算出する請求項７〜９の何れか１項に記載の超音波診断装置の制御方法。
【請求項１２】
前記算出ステップで算出した各周波数における前記指標を表示手段に表示する表示ステップを更に有する請求項７〜１１の何れか１項に記載の超音波診断装置の制御方法。
【請求項１３】
超音波を被検体に送信すると共に、該被検体によって反射される超音波を受信して超音波検出信号を出力する複数の超音波トランスデューサを含む超音波探触子から送信する超音波の送信周波数、または前記超音波探触子によって受信する超音波の受信周波数を、病変のミクロな構造のスケールに応じて予め定めた異なる２種類以上の送信周波数、または受信周波数に変更する変更手段によって、前記送信周波数または前記受信周波数を異なる２種類以上の周波数に変更する変更ステップと、
前記超音波トランスデューサの受信信号の関係に基づいて組織性状を診断するための指標を算出する算出手段によって、前記２種類以上の送信周波数または受信周波数のそれぞれについて前記指標を算出する算出ステップと、
を有する処理をコンピュータに実行させるための超音波診断プログラム。
【請求項１４】
前記変更ステップは、前記超音波探触子から送信する超音波の送信周波数を、病変の進行度に応じて予め定めた２種類以上の周波数に変更する請求項１３に記載の超音波診断プログラム。
【請求項１５】
前記変更ステップは、前記超音波探触子によって受信する前記超音波検出信号の受信周波数を、病変の進行度に応じて予め定めた２種類以上の周波数に変更する請求項１３に記載の超音波診断プログラム。
【請求項１６】
前記算出ステップは、予め定めた着目領域における超音波の異なる２以上の前記超音波トランスデューサの受信信号の関係に基づいて音響特性の不均一性を評価し、前記指標として算出する請求項１３〜１５の何れか１項に記載の超音波診断プログラム。
【請求項１７】
前記算出ステップは、予め定めた着目領域内の少なくとも１つ以上の着目点における音速または減衰の変化を求め、求めた音速または減衰に基づいて前記指標を算出する請求項１３〜１５の何れか１項に記載の超音波診断プログラム。
【請求項１８】
前記算出ステップで算出した各周波数における前記指標を表示手段に表示する表示ステップを更に有する請求項１３〜１７の何れか１項に記載の超音波診断プログラム。
【発明の詳細な説明】
【技術分野】
【０００１】
本発明は、超音波診断装置、超音波診断装置の制御方法、超音波診断プログラムに関し、特に被検体の診断部位に対して超音波を送受信し、受信した超音波の受信信号の関係に基づいて被検体の組織性状の診断を行う超音波診断装置、超音波診断装置の制御方法、及び超音波診断プログラムに関する。
【背景技術】
【０００２】
従来より、超音波を利用して被検体の診断部位に対して超音波を送受信することにより超音波画像を撮影して表示する超音波診断装置が知られており、超音波画像に基づいて、被検体組織の内部構造や構成成分などの性状診断や、組織、病変弁別など、診断に活用する様々な試みがなされてきた。
【０００３】
例えば、特許文献１には、被検体部位から発生するエコー信号の強度あるいは振幅情報の統計的性質を用いて特定の信号を抽出する解析演算手段と、該解析演算手段より抽出した結果を表示する表示手段とを備えた超音波診断装置が開示されている。
【０００４】
また、特許文献２には、各エコー信号を解析中心エコーデータとする所定のサンプル抽出パターンに従って抽出されたサンプル群を用いて、各エコー信号に関する統計量計算を実行する信号解析ユニットと、抽出されたサンプル群を用いて解析中心エコーデータに関する統計量計算を、各エコー信号について実行し、その結果を画像生成回路に送り出す制御プロセッサと、信号解析ユニットにおいて計算された各エコー信号についての統計量をエコー信号と同様に空間的に再配置することで、通常の超音波画像と同様な形態を持つ統計解析画像を生成する画像生成回路と、を備えた超音波診断装置が開示されている。
【０００５】
また、特許文献３には、断層像内の一部に解析領域を設定する手段と、解析領域に相当する被検体部位に超音波パルスを定量解析用の送信条件に従って送信し且つその送信に伴って被検体部位から発生するエコー信号を受信する手段と、エコー信号に基づき組織性状を定量解析する手段とを備える超音波診断装置が開示されている。
【先行技術文献】
【特許文献】
【０００６】
【特許文献１】特開２０１１-２２４４１０号公報
【特許文献２】特開２００６-２９６４９５号公報
【特許文献３】特開２００１-２３８８８４号公報
【発明の概要】
【発明が解決しようとする課題】
【０００７】
しかしながら、特許文献１〜３に記載の技術では、病変の散乱構造スケールが大きく、また不均一になることで、サンプル輝度の分散値がレイリー分布で仮定した分散値と乖離するため、これを解析して組織性状を診断するようにしているが、高精度な組織性状の診断を行うためには改善の余地がある。
【０００８】
本発明は、上記事実を考慮して成されたもので、高精度な組織性状の診断を可能とすることを目的とする。
【課題を解決するための手段】
【０００９】
上記目的を達成するために本発明の超音波診断装置は、超音波を被検体に送信すると共に、該被検体によって反射される超音波を受信して超音波検出信号を出力する複数の超音波トランスデューサを含む超音波探触子と、前記超音波探触子から送信する超音波の送信周波数、または前記超音波探触子によって受信する超音波の受信周波数を、病変のミクロな構造のスケールに応じて予め定めた異なる２種類以上の送信周波数、または受信周波数に変更する変更手段と、前記変更手段によって変更された異なる２種類以上の送信周波数または受信周波数における、異なる２以上の前記超音波トランスデューサの受信信号の関係に基づいて組織性状を診断するための指標を算出する算出手段と、を備えている。
【００１０】
本発明の超音波診断装置によれば、超音波探触子の複数の超音波トランスデューサによって、超音波を被検体に送信し、被検体によって反射される超音波を受信する。
【００１１】
また、変更手段では、超音波探触子から送信する超音波の送信周波数、または受信周波数を、病変のミクロな構造のスケールに応じて予め定めた異なる２種類以上の送信周波数、または受信周波数に変更する。
【００１２】
そして、算出手段では、変更手段によって変更された異なる２種類以上の送信周波数または受信周波数における、異なる２以上の超音波トランスデューサの受信信号の関係に基づいて組織性状を診断するための指標を算出する。これにより、病変化によるミクロな音速・減衰の構造変化を捉えることができ、組織性状の診断を行うことが可能となる。また、病変の進行度に応じて病変を検出するための最適な周波数が異なるが、異なる周波数におけるそれぞれの指標を算出することで、ミクロ構造の不均一さを高精度に計測して病変を容易に検出することが可能となるので、高精度な組織性状の診断が可能となる。
【００１３】
なお、変更手段は、前記超音波探触子から送信する超音波の送信周波数を、病変の進行度に応じて予め定めた２種類以上の周波数に変更するようにしてもよいし、前記超音波診触子によって受信する前記超音波検出信号の受信周波数を、病変の進行度に応じて予め定めた２種類以上の周波数に変更するようにしてもよい。
【００１４】
また、算出手段は、予め定めた着目領域における超音波の異なる２以上の前記超音波トランスデューサの受信信号の関係に基づいて音響特性の不均一性を評価し、前記指標として算出するようにしてもよいし、予め定めた着目領域内の少なくとも１つ以上の着目点における音速または減衰の変化を求め、求めた音速または減衰に基づいて前記指標を算出するようにしてもよい。
【００１５】
さらに、算出手段によって算出された各周波数における指標を表示する表示手段を更に備えるようにしてもよい。
【００１６】
本発明の超音波診断装置の制御方法は、超音波を被検体に送信すると共に、該被検体によって反射される超音波を受信して超音波検出信号を出力する複数の超音波トランスデューサを含む超音波探触子から送信する超音波の送信周波数、または前記超音波探触子によって受信する超音波の受信周波数を、病変のミクロな構造のスケールに応じて予め定めた異なる２種類以上の送信周波数、または受信周波数に変更する変更手段によって、前記送信周波数または前記受信周波数を異なる２種類以上の周波数に変更する変更ステップと、前記超音波トランスデューサの受信信号の関係に基づいて組織性状を診断するための指標を算出する算出手段によって、前記２種類以上の送信周波数または受信周波数のそれぞれについて前記指標を算出する算出ステップと、を有している。
【００１７】
本発明の超音波診断装置の制御方法によれば、変更ステップでは、超音波を被検体に送信すると共に、該被検体によって反射される超音波を受信して超音波検出信号を出力する複数の超音波トランスデューサを含む超音波探触子から送信する超音波の送信周波数、または超音波探触子によって受信する超音波の受信周波数を、病変のミクロな構造のスケールに応じて予め定めた異なる２種類以上の送信周波数、または受信周波数に変更する変更手段によって、送信周波数または受信周波数を異なる２種類以上の周波数に変更する。
【００１８】
そして、算出ステップでは、超音波トランスデューサの受信信号の関係に基づいて組織性状を診断するための指標を算出する算出手段によって、変更ステップで変更された２種類以上の送信周波数または受信周波数のそれぞれについて指標を算出する。これにより、病変化によるミクロな音速・減衰の構造変化を捉えることができ、組織性状の診断を行うことが可能となる。また、病変の進行度に応じて病変を検出するための最適な周波数が異なるが、異なる周波数におけるそれぞれの指標を算出することで、ミクロ構造の不均一さを高精度に計測して病変を容易に検出することが可能となるので、高精度な組織性状の診断が可能となる。
【００１９】
なお、変更ステップは、超音波探触子から送信する超音波の送信周波数を、病変の進行度に応じて予め定めた２種類以上の周波数に変更するようにしてもよいし、超音波探触子によって受信する超音波検出信号の受信周波数を、病変の進行度に応じて予め定めた２種類以上の周波数に変更するようにしてもよい。
【００２０】
また、算出ステップは、予め定めた着目領域における超音波の異なる２以上の前記超音波トランスデューサの受信信号の関係に基づいて音響特性の不均一性を評価し、前記指標として算出するようにしてもよいし、予め定めた着目領域内の少なくとも１つ以上の着目点における音速または減衰の変化を求め、求めた音速または減衰に基づいて前記指標を算出するようにしてもよい。
【００２１】
さらに、算出ステップで算出した各周波数における指標を表示手段に表示する表示ステップを更に有するようにしてもよい。
【００２２】
本発明の超音波診断プログラムは、超音波を被検体に送信すると共に、該被検体によって反射される超音波を受信して超音波検出信号を出力する複数の超音波トランスデューサを含む超音波探触子から送信する超音波の送信周波数、または前記超音波探触子によって受信する超音波の受信周波数を、病変のミクロな構造のスケールに応じて予め定めた異なる２種類以上の送信周波数、または受信周波数に変更する変更手段によって、前記送信周波数または前記受信周波数を異なる２種類以上の周波数に変更する変更ステップと、前記超音波トランスデューサの受信信号の関係に基づいて組織性状を診断するための指標を算出する算出手段によって、前記２種類以上の送信周波数または受信周波数のそれぞれについて前記指標を算出する算出ステップと、を有する処理をコンピュータに実行させる。
【００２３】
本発明の超音波診断プログラムによれば、変更ステップでは、超音波を被検体に送信すると共に、該被検体によって反射される超音波を受信して超音波検出信号を出力する複数の超音波トランスデューサを含む超音波探触子から送信する超音波の送信周波数、または超音波探触子によって受信する超音波の受信周波数を、病変のミクロな構造のスケールに応じて予め定めた異なる２種類以上の送信周波数、または受信周波数に変更する変更手段によって、送信周波数または受信周波数を異なる２種類以上の周波数に変更する。
【００２４】
そして、算出ステップでは、超音波トランスデューサの受信信号の関係に基づいて組織性状を診断するための指標を算出する算出手段によって、変更ステップで変更された２種類以上の送信周波数または受信周波数のそれぞれについて指標を算出する。これにより、病変化によるミクロな音速・減衰の構造変化を捉えることができ、組織性状の診断を行うことが可能となる。また、病変の進行度に応じて病変を検出するための最適な周波数が異なるが、異なる周波数におけるそれぞれの指標を算出することで、ミクロ構造の不均一さを高精度に計測して病変を容易に検出することが可能となるので、高精度な組織性状の診断が可能となる。
【００２５】
なお、変更ステップは、超音波探触子から送信する超音波の送信周波数を、病変の進行度に応じて予め定めた２種類以上の周波数に変更するようにしてもよいし、超音波探触子によって受信する超音波検出信号の受信周波数を、病変の進行度に応じて予め定めた２種類以上の周波数に変更するようにしてもよい。
【００２６】
また、算出ステップは、予め定めた着目領域における超音波の異なる２以上の前記超音波トランスデューサの受信信号の関係に基づいて音響特性の不均一性を評価し、前記指標として算出するようにしてもよいし、予め定めた着目領域内の少なくとも１つ以上の着目点における音速または減衰の変化を求め、求めた音速または減衰に基づいて前記指標を算出するようにしてもよい。
【００２７】
さらに、算出ステップで算出した各周波数における指標を表示手段に表示する表示ステップを更に有するようにしてもよい。
【発明の効果】
【００２８】
以上説明した如く本発明では、異なる２種類以上の周波数における、異なる２以上の受信信号の関係に基づいて組織性状を診断するための指標を算出することにより、高精度な組織性状の診断を可能とすることができる、という優れた効果を有する。
【図面の簡単な説明】
【００２９】
【図１】本発明の第１実施形態に係わる超音波診断装置の概略構成を示すブロック図である。
【図２】（ａ）〜（ｃ）は音速バラツキ・減衰バラツキを計測する処理を模式的に示す説明図である。
【図３】音源からある素子への経路において２種類の媒質が存在する様子を説明するための模式図である。
【図４】混合媒質中において経路長と平均音速の求め方を説明するための図である。
【図５】混合媒質と別媒質が存在する場合に経路長と平均音速の求め方を説明するための図である。
【図６】別媒質がない場合の、音速バラツキ、減衰バラツキの求め方を示すフローチャートである。
【図７】別媒質がある場合の、音速バラツキ、減衰バラツキの求め方を示すフローチャートである。
【図８】周波数と信号バラツキの関係を示す概念図である。
【図９】本発明の第１実施形態に係わる超音波診断装置の送信周波数を変更可能とした送信回路の一例を示す図である。
【図１０】本発明の第１実施形態に係わる超音波診断装置の制御部で行われる音速バラツキまたは減衰バラツキを表すバラツキ指標を求める全体の処理の流れの一例を表すフローチャートである。
【図１１】本発明の第２実施形態に係わる超音波診断装置の制御部で行われる音速または減衰のバラツキ指標を求める処理の流れの一例を表すフローチャートである。
【図１２】受信周波数を変更可能とした超音波診断装置の制御部で行われる音速バラツキまたは減衰バラツキを表すバラツキ指標を求める全体の処理の流れの一例を表すフローチャートである。
【図１３】（ａ）〜（ｃ）は肝硬変における組織性状変化を説明するための図である。
【発明を実施するための形態】
【００３０】
以下、図面を参照して、本発明の実施の形態に係わる超音波診断装置について詳細に説明する。
（第１実施形態）
図１は、本発明の第１実施形態に係わる超音波診断装置の概略構成を示すブロック図である。
【００３１】
図１に示すように、本実施形態に係わる超音波診断装置１０は、超音波探触子３００から被検体に超音波ビームを送信して、被検体によって反射された超音波ビーム（超音波エコー）を受信し、超音波エコーの検出信号から超音波画像を作成し表示する。
【００３２】
制御部は１００は、図示しないＣＰＵ（Central Processing Unit)、ＲＯＭ（Read Only Memory）、ＲＡＭ（Random Access Memory）、及び入出力ポート等を備えたコンピュータで構成されており、操作入力部２００からの操作入力に応じて超音波診断装置１０の各ブロックの制御を行う。
【００３３】
操作入力部２００は、オペレータからの操作入力を受け付ける入力デバイスであり、操作卓２０２とポインティングデバイス２０４とを含んでいる。操作卓２０２は、文字情報（例えば、患者情報）等の入力を行うためのキーボードや、振幅画像（Ｂモード画像）を単独で表示するモードと局所音速値の判定結果を表示するモードなどの各種表示モードを切り替えるための表示モード切り替えボタン、ライブモードとフリーズモードとの切り替えを指示するためのフリーズボタン、シネメモリ再生を指示するためのシネメモリ再生ボタンと、超音波画像の解析・計測を指示するための解析・計測ボタン等を含んでいる。ポインティングデバイス２０４は、表示部１０４の画面上における領域を指定するためのデバイスであり、例えば、トラックボール又はマウス等を適用することができる。なお、ポインティングデバイス２０４としては、タッチパネルを適用するようにしてもよい。
【００３４】
格納部１０２は、制御部００が超音波診断装置１０の各ブロックを制御するための各種制御プログラムが格納される。格納部１０２は、例えば、ハードディスクや半導体メモリを適用することができる。
【００３５】
表示部１０４は、例えば、ＣＲＴ（Cathode Ray Tube)ディスプレイや液晶ディスプ
レイ等の各種表示デバイスを適用することができ、超音波画像（動画及び静止画）の表示や各種設定画面等を表示する。
【００３６】
超音波探触子３００は、被検体に当接させて用いるプローブであり、１次元又は２次元のトランスデューサアレイを構成する複数の超音波トランスデューサ３０２を備えている。超音波トランスデューサ３０２には送受信部４００が接続されている。
【００３７】
送受信部４００は、送信回路４０２、受信回路４０４、及びＡ／Ｄ変換器４０６を備えており、超音波トレランスデューサ３０２は、送受信部４００の送信回路４０２から印加される駆動信号に基づいて超音波ビームを被検体に送信すると共に、被検体から反射される超音波エコーを受信回路４０４が受信して検出信号をＡ／Ｄ変換器４０６によってデジタル信号に変換して出力する。
【００３８】
超音波トランスデューサ３０２は、圧電性を有する材料（圧電体）の両端に電極が形成されて構成された振動子を含んでいる。このような振動子を構成する圧電体としては、例えば、ＰＺＴ（チタン酸ジルコン酸鉛：Ｐｂ(lead) zirconate titanate)のような圧電セラミック、ＰＶＤＦ（ポリフッ化ビニリデン：polyvinylidene difluoride)のような高分子圧電素子を用いることができる。上記振動子の電極に電気信号を送って電圧を印加すると圧電体が伸縮し、この圧電体の伸縮により各振動子において超音波が発生する。例えば、振動子の電極にパルス状の電気信号を送るとパルス状の超音波が発生し、また振動子の電極に連続波の電気信号を送ると連続波の超音波が発生する。そして、各振動子において発生した超音波が合成されて超音波ビームが形成される。また、各振動子により超音波が受信されると、各振動子の圧電体が伸縮して電気信号を発生する。各振動子において発生した電気信号は、超音波の検出信号として受信回路４０に出力される。
【００３９】
なお、本実施形態では、送信周波数が変更可能な超音波探触子３００が用いられる。例えば、複合型圧電素子を使用した広帯域幅の周波数特性を持つ超音波トランスデューサを適用して、１つの超音波トランスデューサで周波数帯域及び中心周波数の異なる複数種類の超音波を発生させるものを適用するようにしてもよいし、周波数特性が異なる超音波トランスデューサを複数種類備えて、切り替えて使用するものを適用するようにしてもよい。
【００４０】
送受信回路４００のＡ／Ｄ変換器４０６から出力されたデジタル信号は、再生部６００及び画像信号生成部５００に出力される。
【００４１】
画像信号生成部５００は、信号処理部５０２、ＤＳＣ５０４、画像処理部５０６、画像メモリ５０８、及びＤ／Ａ変換器５１０を備えている。なお、それぞれの機能の詳細は後述する。
【００４２】
次に、ライブモード時における超音波診断処理について説明する。ライブモードは、被検体に超音波探触子３００を当接させて超音波の送受信を行うことによって得られた超音波画像（動画）の表示や解析・計測を行うモードである。
【００４３】
超音波探触子３００が被検体に当接されて、操作入力部２００を操作して操作開始指示を行うことにより超音波診断が開始されると、制御部１００は、送受信部４００に制御信号を出力して、超音波ビームの被検体への送信、及び被検体からの超音波エコーの受信を開始させる。制御部１００は、超音波トランスデューサ３０２毎に超音波ビームの送信方向と超音波エコーの受信方向とを設定する。
【００４４】
さらに、制御部１００は、超音波ビームの送信方向に応じて送信遅延パターンを選択すると共に、超音波エコーの受信方向に応じて受信遅延パターンを選択する。ここで、送信遅延パターンとは、複数の超音波トランスデューサ３０２から送信される超音波によって所望の方向に超音波ビームを形成するために駆動信号に与えられる遅延時間のパターンデータであり、受信遅延パターンとは、複数の超音波トランスデューサ３０２によって受信される遅延時間のパターンデータである。上記送信遅延パターン及び受信遅延パターンは予め格納部１０２に格納されている。制御部１００は、格納部１０２に格納されているものの中から送信遅延パターン及び受信遅延パターンを選択し、選択した送信遅延パターン及び受信遅延パターンに従って、送受信部４００に制御信号を出力して超音波の送受信制御を行う。
【００４５】
送信回路４０２は、制御部１００からの制御信号に応じて駆動信号を生成して、該駆動信号を超音波トランスデューサ３０２に印加する。このとき、送信回路４０２は、制御部１００によって選択された送信遅延パターンに基づいて、各超音波トランスデューサ３０２に印加する駆動信号を遅延させる。ここで、送信回路４０２は、複数の超音波トランスデューサ３０２から送信される超音波が超音波ビームを形成するように、各超音波トランスデューサ３０２に駆動信号を印加するタイミングを調整する（遅延させる）送信フォーカスを実行する。なお、複数の超音波トランスデューサ３０２から一度に送信される超音波が被検体の撮像領域全体に届くように、駆動信号を印加するタイミングを調節するようにしもてよい。
【００４６】
受信回路４０４は、各超音波トランスデューサ３０２から出力される超音波検出信号を受信して増幅する。上記のように、各超音波トランスデューサ３０２と被検体内の超音波反射源との間の距離がそれぞれ異なるため、各超音波トランスデューサ３０２に反射波が到達する時間が異なる。受信回路４０４は遅延回路を備えており、制御部１００によって選択された受信遅延パターンに基づいて設定される音速（以下、仮定音速という）又は音速の分布に従って、反射波の到達時刻の差（遅延時間）に相当する分、各検出信号を遅延させる。次に、受信回路４０４は、遅延時間を与えた検出信号を整合加算することにより受信フォーカス処理を行う。超音波反射源ＸＲＯＩと異なる位置に別の超音波反射源がある場合には、別の超音波反射源からの超音波検出信号は到達時間が異なるので、上記受信回路４０４の加算回路で加算することにより、別の超音波反射源からの超音波検出信号の位相が打ち消し合う。これにより、超音波反射源ＸＲＯＩからの受信信号が最も大きくなり、フォーカスが合う。上記受信フォーカス処理によって、超音波エコーの焦点が絞り込まれた音線信号（以下、ＲＦ信号という）が形成される。
【００４７】
Ａ／Ｄ変換器４０６は、受信回路４０４から出力されるアナログのＲＦ信号をデジタルＲＦ信号（以下、ＲＦデータという）に変換する。ここで、ＲＦデータは、受信波（搬送波）の位相情報を含んでいる。Ａ／Ｄ変換器４０６から出力されるＲＦデータは、信号処理部５０２とシネメモリ６０２にそれぞれ入力される。
【００４８】
シネメモリ６０２は、Ａ／Ｄ変換器４０６から入力されるＲＦデータを順次格納する。また、シネメモリ６０２は、制御部１００から入力されるフレームレートに関する情報（例えば、超音波の反射位置の深度、走査線の密度、視野幅を示すパラメータ）を上記ＲＦデータに関連付けて格納する。
【００４９】
信号処理部５０２は、上記ＲＦデータに対して、ＳＴＣ（Sensitivity Time gain Control)によって、超音波の反射位置の深度に応じて距離による減衰の補正をした後、包絡線検波処理を施し、Ｂモード画像データ（超音波エコーの振幅を点の明るさ（輝度）によって表した画像データ）を生成する。
【００５０】
信号処理部５０２によって生成されたＢモード画像データは、通常のテレビジョン信号の走査方式と異なる走査方式によって得られたものである。このため、ＤＳＣ（Digital Scan Converter)５０４は、Ｂモード画像データを通常の画像データ（例えば、テレ
ビジョン信号の走査方式（ＮＴＳＣ方式）の画像データ）に変換（ラスター変換）する。画像処理部５０６は、ＤＳＣ５０４から入力される画像データに、各種の必要な画像処理（例えば、階調処理）を施す。
【００５１】
画像メモリ５０８は、画像処理部５０６から入力された画像データを格納する。Ｄ／Ａ変換器５１０は、画像メモリ５０８から読み出された画像データをアナログの画像信号に変換して表示部１０４に出力する。これにより、超音波探触子３００によって撮影された超音波画像（動画）が表示部１０４に表示される。
【００５２】
なお、本実施形態では、受信回路４０４において受信フォーカス処理が施された検出信号をＲＦ信号としたが、受信フォーカス処理が施されていない検出信号をＲＦ信号としてもよい。この場合、複数の超音波トランスデューサ３０２から出力される複数の超音波検出信号が、受信回路４０４において増幅され、増幅された検出信号、すなわち、ＲＦ信号が、Ａ／Ｄ変換器４０６においてＡ／Ｄ変換されることによってＲＦデータが生成される。そして、上記ＲＦデータは、信号処理部５０２に供給されるとともに、シネメモリ６０２に格納される。受信フォーカス処理は、信号処理部５０２においてデジタル的に行われる。
【００５３】
次に、シネメモリ再生モードについて説明する。シネメモリ再生モードは、シネメモリ６０２に格納されているＲＦデータに基づいて超音波診断画像の表示や解析・計測を行うモードである。
【００５４】
操作卓２０２のシネメモリ再生ボタンが押下されると、制御部１００は、超音波診断装置１０の動作モードをシネメモリ再生モードに切り替える。シネメモリ再生モード時には、制御部１００は、オペレータからの操作入力により指定されたＲＦデータの再生をシネメモリ再生部６０４に指示する。シネメモリ再生部６０４は、制御部１００からの指令に基づいて、シネメモリ６０２からＲＦデータを読み出して、画像信号生成部５００の信号処理部５０２に送信する。シネメモリ６０２から送信されたＲＦデータは、信号処理部５０２、ＤＳＣ５０４及び画像処理部５０６において所定の処理（ライブモード時と同様の処理）が施されて画像データに変換された後、画像メモリ５０８及びＤ／Ａ変換器５１０を経て表示部１０４に出力される。これにより、シネメモリ６０２に格納されたＲＦデータに基づく超音波画像（動画又は静止画）が表示部１０４に表示される。
【００５５】
ライブモード又はシネメモリ再生モード時において、超音波画像（動画）が表示されているときに操作卓２０２のフリーズボタンが押下されると、フリーズボタン押下時に表示されている超音波画像が表示部１０４に静止画表示される。これにより、オペレータは、着目領域（ＲＯＩ：Region of Interest)の静止画を表示させて観察することができる。
【００５６】
操作卓２０２の計測ボタンが押下されると、オペレータからの操作入力により指定された解析・計測が行われる。データ解析計測部１０６は、各動作モード時に計測ボタンが押下された場合に、Ａ／Ｄ変換器４０６又はシネメモリ６０２から、画像処理が施される前のＲＦデータを取得し、当該ＲＦデータを用いてオペレータ指定の解析・計測（例えば、組織部の歪み解析（硬さ診断）、血流の計測、組織部の動き計測、又はＩＭＴ（内膜中膜複合体厚：Intima-Media Thickness)値計測）を行う。また、データ解析計測部１０６は
、詳しくは後述するような局所音速値の計測、音速あるいは減衰のバラツキを表す指標を算出する処理を行う。データ解析計測部１０６による解析・計測結果は、画像信号生成部５００のＤＳＣ５０４に出力される。ＤＳＣ５０４は、データ解析計測部１０６により解析・計測結果を超音波画像の画像データに挿入して表示部１０４に出力する。これにより、超音波画像と解析・計測結果とが表示部１０４に表示される。なお、データ解析計測部１０６は、図１では制御部１００と別の構成として示すが、以下では、制御部１００の機能の一部であるのものとして説明する。
【００５７】
また、表示モード切り替えボタンが押下されると、Ｂモード画像を単独で表示するモード、Ｂモード画像に音速・減衰バラツキの判定結果を重畳して表示するモード（例えば、音速・減衰バラツキに応じて色分け又は輝度を変化させる表示、又は音速・減衰バラツキが等しい点を線で結ぶ表示）、Ｂモード画像と音速・減衰バラツキの判定結果の画像を並べて表示するモードの間で表示モードが切り替わる。これにより、オペレータは、音速・減衰バラツキの判定結果を観察することで、例えば、病変を発見することができる。
【００５８】
ところで、蜂屋弘之「生体組織の音響特性と超音波断層画像の特徴」(Medical Imaging Technology vol.21 No.2 March 2003)によれば、肝臓が肝硬変になり、肝硬変が進行すると壊死した組織同士が結合し、修復するために周辺組織が線維化して結節を形成して、肝小葉が再生結節に置き換えられる。例えば、図１３に散乱体配置の例を示す。図１３（ａ）は正常肝を示したものであり、各々の肝小葉構造は、１．０〜１．５ｍｍ程度でランダムな大きさを持っているが、図１３（ｂ）に示すように中度の肝硬変になると複数の肝小葉構造が破壊され、線維組織が生じ、結節径が３〜４ｍｍに成長し、さらに病変が進行し図１３（ｃ）に示すように重度の肝硬変になると、結節径が最大で７ｍｍ程度まで成長する。そして、結節の内部の音速、減衰及び散乱は正常な肝臓より低く、線維部は逆に正常な肝臓より高くなるというミクロな音速構造変化があることが報告されている。しかし、これに対して、赤松興一「音速計測によるtissue characterization」(臨床医  vol.12 no.11 1986)によれば、正常肝と肝硬変のマクロ音速値に有意な差は無いことが報告されている。従って、従来より提案されてきたマクロ的な音速や減衰の計測方法では、上記のようなミクロな音速・減衰の構造変化を捉えられない可能性があるという問題がある。
【００５９】
そこで、本実施形態における超音波診断装置１０は、上記問題を考慮して、着目領域を設定し、着目領域の音速バラツキまたは減衰バラツキを計測し、組織性状の診断を行う。詳しくは後述するが、本実施形態では、送信フォーカスを掛けて擬似的な点反射を形成し、その各素子受信データから、一定音速で近似した受信時刻からの時刻差を求め、そのバラツキから音速バラツキを計測し、また、一定減衰で近似した振幅のバラツキ、周波数のバラツキから減衰（散乱、吸収）バラツキを計測するものである。そして計測したバラツキを組織性状の診断に役立てようとするものである。
【００６０】
図２に、音速バラツキ・減衰バラツキを計測する処理を模式的に示す。
【００６１】
図２（ａ）は、一定音速で近似した受信時刻からのバラツキを求めて音速バラツキを計測することを表している。また図２（ｂ）は、一定の減衰で近似した振幅のバラツキから減衰バラツキを計測することを表している。さらに図２（ｃ）は、一定の減衰で近似した中心周波数のバラツキから減衰バラツキを計測することを表したものである。
【００６２】
ここで、何れの場合も、送信フォーカスを掛けて擬似的な点反射を形成し、各素子受信データから、音速バラツキ・減衰バラツキを計測するようにしている。
【００６３】
すなわち、図２（ａ）に示すように、被検体内の着目領域ＲＯＩの格子点Ｘからの擬似的な点反射を考える。このとき図２（ａ）に示すように肝硬変が進み結節が形成されていると、超音波の進行方向により音速や減衰にバラツキが生じる。
【００６４】
図２（ａ）は、各素子において実際に計測された波面（受信時刻）を実線で表し、また被検体の媒質を音速一定と仮定して近似した波面を破線で表し、各方位位置における音速バラツキに起因した受信時刻のバラツキを示したものである。
【００６５】
また図２（ｂ）は、各素子において実際に計測された対数圧縮後の振幅を実線で表し、被検体の媒質を減衰一定と仮定して近似した対数圧縮後の振幅を破線で表し、各方位位置における減衰（吸収及び散乱）バラツキに起因した対数圧縮後の振幅のバラツキを示したものである。
【００６６】
さらに、図２（ｃ）は、各素子において実際に計測された中心周波数を実線で表し、被検体の媒質を減衰一定と仮定して近似した中心周波数を破線で表し、各方位位置における減衰（吸収及び散乱）バラツキに起因した中心周波数のバラツキを示したものである。
【００６７】
このように、送信フォーカスを掛けて形成した擬似的な点反射の受信波の受信時刻、振幅、中心周波数は、一定音速・一定減衰を仮定した受信時刻、振幅、中心周波数からバラツキを有している。これは、異なる音速や減衰を有する媒質の混合割合が各方位位置に対応する経路で異なるためである。異なる音速や減衰を有する媒質の混合割合が各経路で異なる場合、擬似的な点反射から各素子の伝播過程において受信信号の時刻・振幅・周波数のバラツキを生ずると共に、擬似的な点反射を形成する時の周囲干渉によっても生ずる。具体的には、音速・減衰（散乱を含む）が各経路で異なる事によって送信焦点が一点に集中しないため周囲散乱の干渉を受けてしまい、その結果として受信信号の時刻・振幅・周波数のバラツキを生ずる事となる。そして経路による混合割合の変化が大きい程、受信時刻、振幅及び中心周波数の方位位置バラツキが大きくなる事、また経路による混合割合の変化の空間周波数が大きい程、受信時刻、振幅及び中心周波数の方位位置バラツキの空間周波数も大きくなる事が図２から容易に分かる。
【００６８】
従って、格子点Xからの反射波受信時刻、振幅、中心周波数の一定音速・一定減衰を仮
定した受信時刻、振幅、中心周波数からのバラツキの大きさや空間周波数から、着目領域内における、異なる音速及び減衰を有する媒質の混合割合のバラツキの大きさや空間周波数に関する情報を取得することが可能となる。
【００６９】
これにより、音速または減衰のバラツキを判定することにより、これを組織性状の診断に用いることが可能となる。なお、ここでは肝硬変の例を用いて説明したが、本発明は、肝硬変に限定する事無く適用できることは明らかである。
【００７０】
以下、音速バラツキ又は減衰バラツキを表す指標（バラツキ指標）を求める処理について説明する。
【００７１】
まず音速バラツキの求め方について説明する。
【００７２】
簡単のために、超音波がある音源からある素子に伝播するとき、ある経路において２種類の媒質が存在するとする。この様子を模式的に図３に示す。
【００７３】
実際には、媒質１と媒質２が図３に示すように、明確に分かれて存在しているのではなく、その経路上に複雑に混ざり合って存在している。図３は、媒質１と媒質２をそれぞれ一方に寄せ集めて、その混合割合がはっきりわかるように表示したものである。
【００７４】
図３において、Ｌは、音源から素子までの経路の全長（経路長）、ρ１及びρ２は、伝播経路によらない媒質１及び媒質２の平均的な混合割合、Δρは、経路に依存する上記混合割合の変化分を表す。
【００７５】
今、図３に示す経路において、媒質１と媒質２の混合割合が、平均的な混合割合ρ１：ρ２からΔρだけずれて、（ρ１＋Δρ）：（ρ２−Δρ）となっていたとすると、経路の全長Ｌのうち、媒質１が存在するのは長さにしてＬ＊（ρ１＋Δρ）、媒質２が存在するのは長さにしてＬ＊（ρ２−Δρ）となる。
【００７６】
媒質１における超音波の音速をｖ１、媒質２における超音波の音速をｖ２とすると、図３の音源から発した超音波を素子が受信する受信時刻ｔは、次の式で与えられる。
【００７７】
ｔ＝Ｌ＊（ρ１＋Δρ）／ｖ１＋Ｌ＊（ρ２−Δρ）／ｖ２                            ＝Ｌ＊（１／ｖ１）＊ρ１＋Ｌ＊（１／ｖ２）＊ρ２                                                              ＋Ｌ＊Δρ＊（（１／ｖ１）−（１／ｖ２））      このうち、経路に依存しない（経路バラツキを含まない）受信時刻                    Ｌ＊（１／ｖ１）＊ρ１＋Ｌ＊（１／ｖ２）＊ρ２                                  を引けば、経路に依存した受信時刻の変化分が、                                      Ｌ＊Δρ＊（（１／ｖ１）−（１／ｖ２））                                      で与えられることがわかる。
【００７８】
これを経路の全長（経路長）Ｌで割れば、経路長Ｌに依存しない指標として次の式（１）が得られる。
【００７９】
Δρ＊（（１／ｖ１）−（１／ｖ２））    ・・・・・・（１）
しかし、経路によって経路長Ｌにおける混合割合の変化分Δρは異なるため、上記式（１）で表される指標は、経路によって異なる。
【００８０】
そこで、全ての経路についての式（１）の値の標準偏差をとれば経路にもよらないバラツキ指標を得ることができる。
【００８１】
組織の病変化によって混合割合の変化分Δρがより大きくバラつくか、またはｖ１とｖ２の差がより大きくなるために、上記式（１）によるバラツキ指標は、バラツキの程度を良好に表す指標となる。
【００８２】
なお、ここでは２種類の媒質のみで考えたが、２種類以上の媒質がある場合、２種類以上の指標（１）は、各異なる媒質間の混合割合の変化分Δρ１、Δρ２、・・・の和となり、そのバラツキ程度は、やはり病変化の程度を良好に表す指標となる。
【００８３】
なお、上記の方法において、受信時刻、経路バラツキを含まない受信時刻及び経路長が未知である。
【００８４】
このうち、受信時刻（素子の受信時刻）は公知の位相収差解析の手法（例えば、特開平６−１０５８４１号公報参照）を用いて求めることができる。超音波探触子の各素子の受信信号に対して、一定の信号を参照信号として、これらの位相差を検出し、隣接する各素子の位相差検出結果を比較しその差をＤとする。また一方、横軸に超音波探触子の素子番号をとり、縦軸に各素子の受信信号と参照信号Ｓとの位相差をプロットしたグラフにおいて、正から負への不連続点（すなわち、上記差Ｄが−１８０°より小のとき）においては３６０°を加算し、負から正への不連続点（すなわち、上記差Ｄが１８０°より大のとき）においては３６０°を減算して、不連続曲線を連続曲線とする。これにより広範囲の位相収差を精度よく検出することができる。
【００８５】
また、経路バラツキを含まない受信時刻は、経路長Ｌと１/ 平均音速 =（（１／ｖ１）＊ρ１＋（１／ｖ２）＊ρ２）に分離することができる。
【００８６】
次に、経路長Ｌと平均音速の求め方を説明する。
【００８７】
図４に示すように、多種類の異なる音速媒質（混合媒質）からなる対象中に、素子面から距離Ｌの深さに音源を想定する。
【００８８】
まず図４に示す音源から発せられた超音波の各素子受信信号から、音源までの媒質が均一と仮定して求められる音速（平均音速）及び深さを求める。
【００８９】
図４に示すように、音源の直下から距離Ｘの位置の素子における受信時刻Ｔ（Ｘ）は、以下の式で与えることができる。
Ｔ（Ｘ）＝√（Ｌ２＋Ｘ２）＊（（１／ｖ１）＊ρ１＋（１／ｖ２）＊ρ２＋（１／ｖ３）              ＊ρ３＋・・・）      ・・・・・・（２）
ここで、記号√（Ａ）は、Ａの平方根を表し、ρｎ、ｖｎは媒質ｎの混合割合及び音速を表す。またここでは混合割合の変化分Δρは含まないとする。
【００９０】
ρｎは、伝播経路によらず一定と見做せるので、上記式（２）から均一仮定の平均音速及び深さは以下の式（３）のように一意に求められることがわかる。
【００９１】
１ / 平均音速＝（（１／ｖ１）＊ρ１＋（１／ｖ２）＊ρ２＋（１／ｖ３）＊ρ３＋・・・）                                                                              深さ＝Ｌ                      ・・・・・・（３）
上記式（３）の平均音速は、前述した平均音速であり、また各経路長は、深さＬと素子位置Ｘから求めることができる。
【００９２】
つまり、各素子受信時刻をトータルで見ることによって、平均音速及び各経路長を求めることができる。各経路による混合割合の変化分Δρが含まれているとしても、各素子信号をトータルで見れば影響が少ないと考えられる。
【００９３】
平均音速及び深さを求めるために公知の画像解析の手法（例えば、特開２００７−７０４５号公報参照）を用いることができる。これは、平均音速（及び深さ）を仮定し、音源の画像のシャープネスやコントラストが最大となる値を求めるという方法である。
【００９４】
またこの他に、各素子受信時刻を位相収差解析で求めた後、最小二乗法フィッティングで平均の受信時刻を求め、それに相当する平均音速（及び深さ）を求めるという方法でもよい。
【００９５】
なお、ここでは簡単のために、音源からの伝播のみを想定したが、実際には送信フォーカスによって擬似的な点反射を形成するプロセスになる。この場合、上記式（２）に送信伝播時間を加えるだけでよい。
【００９６】
以下、不均一層がある場合のバラツキ指標の求め方について説明する。
【００９７】
ここでは、図５に示すように、各素子の前に混合媒質とは異なる別媒質が存在する場合のバラツキ指標を求める。具体的には、各経路長と受信時刻の変化分を別媒質の影響を除いて求める。
【００９８】
まず、各経路長の求め方としては、図５に示すように、混合媒質と別媒質との境界付近が下面となるように局所領域を設定し、この局所領域下面上に複数の格子点を設定する。この領域での平均音速を求めれば、局所領域における音源の深さＬ’が求まり、これよりここから距離Ｘ’だけ離れた各格子までの各経路長が求まる。
【００９９】
ここで、局所領域における平均音速（局所音速）を求めるには、以下のように、特開２０１０−９９４５２号公報に記載の技術など様々な方法がある。
【０１００】
例えば、図５の音源を着目点として、まず着目点と局所領域下面上の各格子における環境音速を求める。ここで、環境音速値とは、画像のコントラスト、シャープネスが最も高くなる音速値であり、上述した画像解析手法により求める事ができる。次に着目点の環境音速値に基づいて着目点を反射点としたときの仮想的な受信波ＷＸの波形を算出する。そして、局所領域における仮定音速の初期値を設定し、仮定音速を１ステップ変更し、局所領域下面上の各格子点における受信波を環境音速から算出し、その受信波を仮定音速によって決まる遅延で仮想的に合成した仮想合成受信波ＷＳＵＭを算出する。
【０１０１】
次に、仮想受信波ＷＸと仮想合成受信波ＷＳＵＭの誤差を算出する。仮想受信波ＷＸと仮想合成受信波ＷＳＵＭの誤差は、互いの相互相関をとる方法、仮想受信波ＷＸに仮想合成受信波ＷＳＵＭから得られる遅延を掛けて位相整合加算する方法、または逆に、仮想合成受信波ＷＳＵＭに仮想受信波ＷＸから得られる遅延を掛けて位相整合加算する方法等によって算出される。
【０１０２】
ここで、仮想受信波ＷＸから遅延を得るには、着目点を反射点として、着目点における環境音速値で伝播した超音波が各素子に到着する時刻を遅延とすればよい。また、仮想合成受信波ＷＳＵＭから遅延を得るには、隣り合う素子間での合成受信波の位相差から等位相線を抽出し、その等位相線を遅延とするか、または単に各素子の合成受信波の最大（ピーク）位置の位相差を遅延としてもよい。また、各素子からの合成受信波の相互相関ピーク位置を遅延としてもよい。位相整合加算時の誤差は、整合加算後の波形のpeak to peakとする方法、又は包絡線検波した後の振幅の最大値とする方法などによって求められる。
【０１０３】
次に、全ての仮定音速の値での演算が終了したら、局所領域における局所音速値が判定される。すなわち、仮想受信波ＷＸと仮想合成受信波ＷＳＵＭとの差が最小になる仮定音速の値を局所領域における局所音速値と判定する。
【０１０４】
また、被検体の音速が不均一で、各格子の受信時刻（受信波）が環境音速で近似しきれない場合でも局所音速を計測可能とする方法として以下のようなものがある。
【０１０５】
例えば、予め着目領域内の着目点と、局所領域下面上の各格子点における受信時刻（受信波）を求め、着目領域における仮定音速によって決まる遅延で各格子受信波を重ね合わせて合成受信波を合成し、それと着目領域の受信波を比較することによって局所音速を判定する方法がある。
【０１０６】
あるいは、予め着目領域内の着目点と、局所領域下面上の各格子点における受信時刻（受信波）を求めた後、着目領域における仮定音速によって決まる、着目点から各格子点までの超音波の伝播時間と、各格子受信時刻との和をとったもののうち、ある素子について、最小となる和をその素子の合成受信時刻とし、各素子について、着目点受信波の受信時刻と合成受信時刻とを比較して局所音速を判定するようにしても良い。
【０１０７】
なお、ここで着目点及び局所領域下面上の各格子点における受信時刻は、上述した画像解析の手法及び位相収差解析の手法を用いて求めることができる。
【０１０８】
また局所音速を求める他の方法として、例えば、上と同様に、局所領域下面上の各格子点の受信時刻（受信波）を画像解析及び位相収差解析の手法によって求めた後、着目領域における仮定音速によって決まる遅延で各格子受信波を重ね合わせて合成受信波を合成し、それから生成した遅延に基づいて画像を生成し、その画像を解析し、例えばシャープネスが最大となる条件から局所音速を判定するようにしても良い。
【０１０９】
または、各格子点の受信時刻（受信波）を求めた後、着目領域における仮定音速によって着目点から各格子点までの超音波の伝播時間と、各格子受信時刻との和をとったもののうち、ある素子について、最小となる和をその素子の遅延とし、その遅延に基づいて画像を生成し、その画像を解析して、例えばシャープネスが最大となる条件から局所音速を判定するようにしても良い。
【０１１０】
またあるいは、上記と同様に、局所領域下面上の各格子点の受信時刻（受信波）を画像解析及び位相収差解析の手法によって求め、それを遅延として、上記局所領域下面上の各格子点を仮想素子と見做して各仮想素子の受信信号として、各遅延で整合加算した信号を設定し、各仮想素子の受信信号から着目領域の仮定音速に基づいて画像生成し、その画像を解析し、例えばシャープネスが最大となる条件から局所音速を判定するようにしても良い。
【０１１１】
なお、上記各格子点および局所領域下面の取りかたは、特に平面に限定されるものではなく、着目点より素子側（手前側）の任意の曲面として設定する事ができる。例えば、組織や病変の境界面上に設定してもよい。
【０１１２】
次に、各素子受信時刻の変化分の求め方としては、各素子で受信した信号の受信時刻の内、平均音速によって決まる受信時刻からの変化分を求め、それに低周波カット処理を施すことによって、別媒質による変化分を取り除き、各素子位置を局所領域下面上の各格子位置に変換する。各素子位置から局所領域下面上の各格子位置への変換は、局所領域における局所音速及び各格子点における環境音速又は各素子受信時刻から、着目点から各格子を経て各素子に至る超音波伝播経路が求まるため、この伝播経路に沿って各素子位置から逆方向に伝播する事により可能である。
【０１１３】
このようにして求めた変化分を、各経路長で割ることによって、上記式（１）で与えられる指標を得て、それの標準偏差をバラツキ指標とすることができる。
【０１１４】
次に、減衰バラツキの求め方について説明する。
【０１１５】
受信信号の受信時刻の代わりに振幅または中心周波数を利用することによって、音速と同様の手法によって以下のように減衰バラツキを求めることができる。
【０１１６】
減衰には、音波が広がることによる拡散減衰、音波が媒質に吸収されて熱に変換されることによる吸収減衰、及び生体組織の散乱による散乱減衰の３つがあるが、これのうち、吸収・散乱減衰は、exp(-αｘ）で与えられる。ここで、αは減衰係数、ｘは伝播距離を表す。
【０１１７】
そして、「超音波便覧」（丸善、1999）によれば、生体組織においては、ＭＨｚ帯の周波数範囲では減衰係数αが近似的に周波数に比例すると仮定することができる。この周波数に比例する減衰によって、ガウシアンパルスの中心周波数は、伝播距離に比例してシフトすることとなる。これを利用して、中心周波数シフトから減衰を求めることができる。
【０１１８】
次に、減衰のバラツキ指標についても音速の場合と同様に考える。
【０１１９】
音源からの各経路の対数圧縮後の振幅Ａ（ｘ）及び中心周波数Ｆ（ｘ）は、以下の式（４）で与えられる。
【０１２０】
Ａ（ｘ）＝Ａ（０）−Ｌ＊（α１＊ρ１＋α２＊ρ２）−Ｌ＊Δρ＊（α１−α２）    Ｆ（ｘ）＝Ｆ（０）−Ｌ＊（β１＊ρ１＋β２＊ρ２）−Ｌ＊Δρ＊（β１−β２）                                                            ・・・・・・（４）
ただし、振幅に関しては、拡散、送信フォーカス、非線形特性、指向性などの影響を無視している。ここで、αは、周波数に依存する項を含む減衰係数、βは、αとパルス波（ガウシアンパルスを仮定）の帯域によって決まる定数である。
【０１２１】
上記式（４）のうち、経路バラツキを含まない振幅及び中心周波数は次の式（５）で与えられる。
【０１２２】
Ａ（ｘ）＝Ａ（０）−Ｌ＊（α１＊ρ１＋α２＊ρ２）                              Ｆ（ｘ）＝Ｆ（０）−Ｌ＊（β１＊ρ１＋β２＊ρ２）      ・・・・・・（５）
上記式（４）から式（５）を引き、求めた振幅の変化分Ｌ＊Δρ＊（α１−α２）または中心周波数の変化分Ｌ＊Δρ＊（β１−β２）を経路長Ｌで割れば、次の式（６）が得られる。
【０１２３】
Δρ＊（α１−α２）、またはΔρ＊（β１−β２）      ・・・・・・（６）
これにより経路長に依存しない指標が得られる。
【０１２４】
なお、ここで経路長Ｌは、例えば上記式（３）によって平均音速から求める。また変化分を得るために経路によらない振幅または中心周波数が必要であるが、それは各素子受信信号の振幅または中心周波数に対してフィッティングして求める。またこのとき、式（３）で求めた音源の深さに基づいて平均αまたはβを仮定してフィッティングしてもよい。
【０１２５】
また、送信経路も考慮する場合は、式（４）に対して、次式                            −（送信経路長）＊（α１＊ρ１＋α２＊ρ２）                                  を加えればよいだけである。
【０１２６】
また一方、不均一層がある場合のバラツキ指標の求め方は、図５の局所領域における各経路長と、局所領域下面上の各格子の振幅または中心周波数の平均減衰からの上記式（６）で表される変化分を求めるようにすればよい。各経路長は、局所領域の平均音速を求めるとともに求めることができる。
【０１２７】
以上、音速バラツキ及び減衰バラツキの求め方の例を示したが、その求め方には様々なバリエーションがある。
【０１２８】
図６及び図７に、バラツキ指標（音速バラツキ、減衰バラツキ）の求め方を各ステップに分けてまとめて示す。図６は別媒質がない場合であり、図７は別媒質がある場合を示している。
【０１２９】
まず、別媒質がない場合のバラツキ指標の求め方について図６のフローチャートを参照して説明する。
【０１３０】
ステップＳ１００において各経路長を導出する。これは、着目点（音源）の深さを導出できれば、着目点と各素子を結ぶ各経路長を導出することができる。
【０１３１】
着目点の深さの導出方法としては、例えば、受信時刻から求める方法、振幅から求める方法、及び中心周波数を利用する方法などの方法がある。
【０１３２】
受信時刻から求める方法としては、例えば、着目点までの平均音速及び深さを、公知の画像解析手法を用いて求めることができる。具体的には、着目点の画像のシャープネスやコントラストの特性が最大となる値として求めることができる。
【０１３３】
また、振幅から求める方法としては、例えば、各素子受信信号の振幅を取得し、それに上記式（５）に着目点までの平均減衰及び深さを仮定して求まる振幅をフィッティングして誤差が最小となる値を採用する方法が考えられる。しかし、振幅は減衰のみでなく、拡散や送信フォーカス、非線形特性などの影響を受けるため、上記式（５）の適用は困難である。これに対して、例えば特公平３−２４８６８号公報に開示された２周波数の振幅比を利用する方法を用いて、２周波数の対数圧縮後の振幅の差が減衰係数に比例することから求めることができる。
【０１３４】
また、中心周波数を利用する方法としては、例えば、各素子受信信号の中心周波数を取得し、式（５）に対して、着目点までの平均減衰及び深さを仮定して求まる中心周波数をフィッティングして誤差が最小となる値を採用する方法が考えられる。このとき、送信時の中心周波数がわかった方が精度高くフィッティングすることができる。
【０１３５】
次に、ステップＳ１１０において、各素子受信時刻・振幅・中心周波数を導出する。
【０１３６】
なお、受信時刻を求める方法としては、前述したように、公知の位相収差解析の手法を用いて求めることができる。または予め着目点の画像解析によって平均音速とともに求まる「経路バラツキを含まない受信時刻」を起点として位相収差解析を行ってもよい。
【０１３７】
また、振幅を求める方法としては、各素子受信信号に包絡線検波を実施して振幅情報に変換した後に、上に述べた受信時刻における値を取得する方法がある。ここで「経路バラツキを含まない受信時刻」を基点に所定範囲でのピーク値を取得するようにしてもよい。
【０１３８】
また、中心周波数を求める方法としては、各素子受信信号から上で述べた受信時刻を基点とした所定範囲を取得し、周波数変換後に、∫ｆ＊Ｐ（ｆ）ｄｆ／∫Ｐ（ｆ）ｄｆの式によって重心を求める方法がある。なお、上記式において、ｆは周波数であり、Ｐ（ｆ）はｆにおけるスペクトル密度である。  また、中心周波数は、スペクトル密度のピークとなる周波数でもよいし、半値幅の中心でもよい。または、検波処理を実施して得られた位相の深さ方向の傾きから求めるようにしてもよい。
【０１３９】
なお、上記において、振幅または中心周波数を求める際に、求められる素子の受信信号を中心に所定開口で該当する受信時刻の信号を整合加算すればノイズや干渉を減らして求めることができる。
【０１４０】
続いて、ステップＳ１２０において、各経路の経路バラツキを含まない受信時刻・振幅・中心周波数を導出する。
【０１４１】
なお、受信時刻を求めるには、前述したステップＳ１００で平均音速が求まっていれば求めることができる。または、ステップＳ１１０で求めた各素子受信信号に誤差が最小となる曲線をフィッティングしてもよい。このとき、ステップＳ１００で着目点と各素子を結ぶ経路長が求まっているため、平均音速を仮定して受信時刻を計算し、誤差が最小となる平均音速（受信時刻）を求めてもよい。
【０１４２】
また、振幅を求めるには、ステップＳ１１０で求めた各素子受信信号の振幅に誤差最小となる曲線をフィッティングして求める。このとき、ステップＳ１００で着目点と各素子を結ぶ経路長が求まっているため、式（５）の平均減衰を仮定して振幅計算し、誤差が最小となる平均減衰（振幅）を求めるようにしてもよい。
【０１４３】
さらに、中心周波数を求めるには、ステップＳ１００で平均減衰が求まっているならば、同時に各素子中心周波数は求まっている。またはステップＳ１１０で求めた各素子受信信号の中心周波数に誤差最小となる曲線をフィッティングしてもよい。このとき、ステップＳ１００で各経路長が求まっているため、平均減衰を仮定して中心周波数を計算し、誤差が最小となる平均減衰（中心周波数）を求めてもよい。このとき、送信時の中心周波数がわかっていれば精度良くフィッティングすることができる。
【０１４４】
次に、ステップＳ１３０において、各経路の受信時刻・振幅・中心周波数の変化分を導出する。これは、ステップＳ１１０で求めた受信時刻・振幅・中心周波数からステップＳ１２０で求めた値を引けば求めることができる。
【０１４５】
次に、ステップＳ１４０において、変化分を経路長で割って指標を導出し、それからバラツキ指標を導出する。ここで、各経路の指標の標準偏差や最大値をバラツキ指標としてよい。
【０１４６】
続いて、別媒質がある場合の着目領域におけるバラツキ指標の求め方について図７のフローチャートを参照して説明する。
【０１４７】
図７のフローチャートは前述した図６のフローチャートと略同じであり、各着目点のバラツキ指標計算方法において、「各経路」が「局所領域における各経路」となり、また「各素子受信時刻・振幅・中心周波数」が「局所領域下面上における値」となっている点が異なる。
【０１４８】
まず、ステップＳ２００において、局所領域における各経路長を導出する（擬似的な点反射の深さを導出する）。これには、例えば図５に示すように、各着目点（音源）を上面上、別媒質との境界付近を下面となるように局所領域を設定し、局所領域内の各経路長を求める。そのためにまず局所領域内の着目点の深さを求める。その方法としては、局所領域内の平均音速とともに求める方法が好適に用いられる。局所領域内の平均音速（局所音速）を求める方法は前述したように様々な方法がある。
【０１４９】
次に、ステップＳ２１０において、各素子受信時刻・振幅・中心周波数の局所領域下面上における値を導出する。
【０１５０】
局所領域の局所受信時刻を求める方法としては、まず局所領域下面上の各格子の受信時刻（または平均音速）を公知の画像解析及び位相収差解析の手法を用いて求め、それを遅延とする。また、着目点の受信時刻（受信波）を画像解析及び位相収差解析によって求める。そして、各格子を仮想素子と見做して各仮想素子の受信信号として、各遅延で着目点の受信波を整合加算した信号を設定する。そして、各仮想素子の受信信号の位相収差解析を実施することによって着目点の局所受信時刻を求める。または、各格子を仮想素子と見做して、各仮想素子の局所受信時刻として着目点の各素子受信時刻から遅延を引いた時刻のうち最も遅い時刻を採用する。
【０１５１】
または、局所領域下面上の各格子の受信波を皆同じと見做し、代表する受信波を定め、着目点の受信波に対して、局所領域下面上各格子を代表する受信波による逆畳込み（デコンボルーション）を施す事によって着目点の局所受信時刻を求める。逆畳込み処理は、各素子受信信号に対して、またはその周波数空間上で実施する事ができる。
【０１５２】
または、着目点の受信時刻（受信波）と、局所領域下面上の各格子の受信時刻（受信波）及び着目点から各格子への伝播時間（局所受信時刻）から求まる着目点の受信時刻（受信波）との誤差が最小となる様に、局所受信時刻を探索しても良い。最小値探索アルゴリズには種々のものがあるが、例えば準ニュートン法を用いても良い。
【０１５３】
中心周波数を求める方法としては、予め局所領域の局所受信時刻または平均音速、及び局所領域下面上の各格子の受信時刻または平均音速を求める。それから、着目点→各格子→各素子という伝播パスを求める。また、送信時の中心周波数を既知とする。
【０１５４】
局所領域下面上の各格子→各素子の中心周波数シフト量を以下の手順で求める。
【０１５５】
まず、各格子の各素子受信信号から中心周波数を求める（このとき、求める素子の受信信号を中心に所定開口で、該当する受信時刻の信号を整合加算すれば、ノイズや干渉を減らして求めることができる）。ある格子に関して、以下の式で表される値が片道の中心周波数シフトである。
【０１５６】
（中心周波数［真中の素子の受信信号］−中心周波数［送信時］）／２
この値を、（中心周波数［各素子の受信信号］−中心周波数［送信時］）から引いた値が、格子→各素子の伝播パスの減衰による中心周波数シフト量を表している。
【０１５７】
送信時の中心周波数が未知だとしても、格子→各素子の全パスで均一減衰を仮定すれば、減衰係数を求め、シフト量を求められる（しかし送信時の中心周波数既知の方が精度は良い）。
【０１５８】
着目点の各素子中心周波数から各格子→各素子の中心周波数シフト量を引き、各格子における中心周波数を求める。
【０１５９】
一方、振幅を求める方法としては、予め各格子→各素子の減衰を中心周波数シフト量から求めておき、また各格子→各素子の伝播パスを求めておく。各素子の振幅から各格子→各素子の減衰を補正し、各格子の振幅を求める。
【０１６０】
次に、ステップＳ２２０において、局所領域の経路バラツキを含まない受信時刻・振幅・中心周波数を導出する。
【０１６１】
受信時刻を求める方法としては、ステップＳ２００で求めた局所領域の平均音速と経路長から求められる。または、ステップＳ２１０で求めた各格子の受信時刻に誤差が最小となる曲線をフィッティングして求めてもよい。このとき、ステップＳ２００で着目点と各格子を結ぶ経路長が求まっているため、平均音速を仮定して受信時刻を計算し、誤差が最小となる平均音速（受信時刻）を求めてもよい。
【０１６２】
振幅を求める方法としては、ステップＳ２１０で求めた各格子の振幅に誤差最小となる曲線をフィッティングして求めることができる。このとき、ステップＳ２００で着目点と各格子を結ぶ経路長が求まっているため、式（５）の平均減衰を仮定して振幅を計算し、誤差が最小となる平均音速（振幅）を求めてもよい。
【０１６３】
中心周波数を求める方法としては、ステップＳ２１０で求めた各格子の中心周波数に誤差最小となる曲線をフィッティングする。このとき、ステップＳ２００で各経路長が求まっているため、平均減衰を仮定して中心周波数を計算し誤差最小となる平均減衰（中心周波数）を求めてもよい。
【０１６４】
以下、ステップＳ２３０、Ｓ２４０における処理は、前述した別媒質の無い場合の図６のステップＳ１３０、Ｓ１４０における処理と同様であるので説明を省略する。
【０１６５】
なお、別媒質がある場合に設定する局所領域の下面は、必ずしも図５のように境界付近になくともよいし、平面でなく曲面でも良い。また、局所領域下面上の各格子の受信時刻・振幅・中心周波数を求めるために、局所領域だけでなく、局所領域下面にも送信焦点を設定する。
【０１６６】
また、各素子で受信した信号の受信時刻・振幅・中心周波数に対して、低周波カット処理を施すことによって別媒質による変化分を取り除き、各格子→各素子の伝播パスに沿って各素子位置を各格子位置に変換することで、各格子の受信時刻・振幅・中心周波数の変化分を求める方法もある。
【０１６７】
また、別媒質の補正をすることや経路長で規格化することなどは必ずしも必要なことではない。なお、深さと素子の開口の比は一定であることが望ましい。
【０１６８】
規格化する場合、規格化する量としては経路長の他に深さ、また深さに近い量として、真中素子（または格子）の受信時刻・周波数シフト量などがある。これらによる規格化は、着目点（着目領域）の深さ（別媒質がある場合は、別媒質を除いた深さ）を一定にしてバラツキを評価する場合には必要ではない。
【０１６９】
また、前述した式（３）などから、音速・減衰は深さと分離したΔρのみに依存した量であることがわかるので、音速・減衰を指標としてもよい（この場合、深さと開口の比も関係ないと思われる）。
【０１７０】
そのバラツキ指標としては以下のようなものがある。すなわち、各音速・減衰の近似曲線との差分の絶対値・２乗の平均値が最小の所定比となる音速・減衰範囲がある。また、計測された受信時刻・振幅・中心周波数に接する両側の音速・減衰範囲がある。またその他、音速の場合、整合加算した画像のフォーカス指標が最大の所定比となる音速範囲や、開口を小開口に分割し、各小開口で求めた音速・減衰の標準偏差などもある。
【０１７１】
また、送信経路の超音波伝播時間・振幅変化・中心周波数シフトのバラツキも含めると平均音速と平均減衰自体が着目点の位置によってバラつくと考えられる。従って、各着目点の平均音速・平均減衰の着目領域でのバラツキの標準偏差をバラツキ指標としてもよい。
【０１７２】
次に、空間周波数に基づくバラツキ指標について説明する。
【０１７３】
以上説明したバラツキ指標は、受信時刻・振幅・中心周波数のバラツキの大きさに基づく指標であるが、バラつく空間周波数も変化すると考えられる。具体的には、図２に示す受信時刻・振幅及び中心周波数の変化分の方位位置に対する周波数が変化すると考えられるため、これに基づくバラツキ指標としてもよい。
【０１７４】
受信時刻・振幅及び中心周波数の変化分は、別媒質のない場合は図６のフローチャートで、また別媒質のある場合は図７のフローチャートで得られる。
【０１７５】
このとき、受信時刻・振幅・中心周波数の変化分の大きさは着目点の深さとともに増すが、各方位位置に対する変化分の大きさが均一に増す分には、周波数に影響しないため補正の必要はない。ただし、各経路によって変化分の増し方に微妙に差があるため、変化分を各経路長で規格化することによって補正してもよい。つまり、図６または図７のフローチャートによって得られる変化分または経路長で規格化した変化分のどちらを指標として用いてもよい。
【０１７６】
ここで、着目点の深さが一定でなくとも、方位方向に対する変化分の周波数を深さや経路長などによって補正する必要はない。ただし、一定の開口での評価が望ましい。
【０１７７】
以上から得られた指標の方位位置に対する周波数分布の中心周波数または帯域またはそれらに基づく変数をバラツキ指標として求める。
【０１７８】
例えば、肝硬変の場合、均一で小さい肝小葉が不均一で大きな結節に置き換えられることによって、中心周波数が低周波側に移動し、または帯域が広がると考えられるため、本バラツキ指標によって硬変程度を診断することができると考えられる。
【０１７９】
中心周波数は、∫ｆ＊Ｐ（ｆ）ｄｆ／∫Ｐ（ｆ）ｄｆによって求められる。ここでｆは周波数、Ｐ（ｆ）は周波数ｆの振幅を表す。中心周波数として、他に振幅が最大の周波数としてもよいし、振幅が最大の所定比となる帯域の中心周波数としてもよいし、Ｐ（ｆ）の積分値が半値となる周波数としてもよい。
【０１８０】
帯域は、∫（ｆ−ｆ０）２＊Ｐ（ｆ）ｄｆ／∫Ｐ（ｆ）ｄｆ＝∫ｆ２＊Ｐ（ｆ）ｄｆ／∫Ｐ（ｆ）ｄｆ−ｆ０２の平方根をとることによって求められる。ここで、ｆ０は中心周波数を表す。これは分散のままでもよい。また、帯域として他に中心周波数の振幅や最大振幅の所定比となる帯域としてもよいし、中心周波数や振幅最大の周波数を中心としたＰ（ｆ）の積分値が全積分値の所定比となる帯域としてもよい。
【０１８１】
中心周波数と帯域の他に、周波数分布の歪みをバラツキ指標として求めてもよい。これは周波数分布の３次モーメント∫（ｆ−ｆ）３＊Ｐ（ｆ）ｄｆ／∫Ｐ（ｆ）ｄｆから求められる。
【０１８２】
以上、バラツキ指標を受信時刻・振幅・中心周波数の変化分や経路長規格化変化分を指標として求める方法について説明したが、変化分でなく、受信時刻・振幅・中心周波数を直接指標としてもよい。この場合、周波数分布の極低周波に「経路バラツキを含まない受信時刻・振幅・中心周波数」の成分が含まれるため、バラツキ指標を算出する時に、極低周波成分を除けばよい。
【０１８３】
また、平均音速・平均減衰の着目点位置によるバラツキの空間周波数に基づいてバラツキ指標を求めてもよい。この場合、着目領域内の平均音速・平均減衰の２次元周波数分布を求め、その中心周波数・帯域・歪みから求められる。
【０１８４】
本実施形態では、上述のようにしてバラツキ指標を求めることができるが、バラツキ指標は、ミクロ構造のスケールと波長（周波数）との関係によって、構造の不均一さが信号のバラツキに及ぼす影響が変わると考えられる。例えば、構造と比べて波長が十分長ければ（周波数が十分低ければ）構造の不均一さが信号のバラツキに及ぼす影響は殆ど無く、逆に波長が構造のスケールと同程度であれば構造の不均一さが多大な影響を及ぼすと考えられる。
【０１８５】
また、病変の進行度に応じてミクロ構造のスケールは変化するため、病変の進行度に応じて構造の不均一さを捉えるためには最適な周波数は変わると考えられる。例えば、上述したように、正常肝の各々の肝小葉構造は、図１３（ａ）に示すように、１．０〜１．５ｍｍ程度でランダムな大きさを持っているが、図１３（ｂ）に示すように中度の肝硬変になると複数の肝小葉構造が破壊され、線維組織が生じ、結節径が３〜４ｍｍに成長し、さらに病変が進行し図１３（ｃ）に示すように重度の肝硬変になると、結節径が最大で７ｍｍ程度まで成長する。この事から正常肝、中度肝硬変、重度肝硬変をそれぞれ区別するために最適な周波数は異なると考えられる。
【０１８６】
そこで、本実施形態では、バラツキ指標を計測して組織性状の診断を行う際に、病変の進行度に応じて予め定めた２種類以上の送信周波数の素子信号に基づいて組織性状診断を行う。例えば、図８に示すように、病変の進行度に応じて検出するために最適な周波数が異なるため、各周波数における信号バラツキを可視化することにより、各病変の検出が容易となる。具体的には、図８に示すように、周波数Ｆ２における信号バラツキでは重度と中度とが似たような値となるので、他の周波数（図８では周波数Ｆ１）における信号バラツキを更に求めることにより、進行度が何れに該当するかを判断することができ、病変の進行度を容易に診断することが可能となる。
【０１８７】
なお、図８では２つの周波数における信号バラツキを示す例を示すが、２つの周波数に限るものではなく、３つ以上の周波数における信号バラツキを求めるようにしてもよい。例えば、肝硬変の１ｍｍ用としてＡ[MHz]、５ｍｍ用としてＢ[Mhz]、１０ｍｍ用としてＣ[MHz]のように３種類の周波数をテーブルに予め定めて、各周波数における信号バラツキを求めることにより、病変の進行度を容易に診断できる。なお、Ａ〜Ｃの周波数は、Ｂモードで一般的に使用される３[MHz]以下を適用することが好ましい。
【０１８８】
図９は、本発明の第１実施形態に係わる超音波診断装置１０の送信周波数を変更可能とした送信回路の一例を示す図である。
【０１８９】
本実施形態では、図９に示すように、送信回路４０２に送信周波数変更部４０１及びタイミングコントローラ４０３を有している。
【０１９０】
タイミングコントローラ４０３は、制御部１００の制御によって駆動パルスを発生させるための信号を送信周波数変更部４０１へ出力する。
【０１９１】
送信周波数変更部４０１は、制御部１００の指示に応じた周波数のパルスを発生して超音波トランスデューサ３０２へ出力することにより、制御部１００の指示に従った周波数の超音波が超音波トランスデューサ３０２から発生される。なお、送信周波数変更部４０１による送信周波数の変更方法としては、例えば、特開２００６−２５５０１４号に記載の技術などを適用することができる。具体的には、複合型圧電素子を使用した広帯域幅の周波数特性を持つ超音波トランスデューサ３０２を使用し、通過する周波数帯域が異なる複数種類のバンドパスフィルタを超音波トランスデューサ３０２に接続して、選択的にバンドパスフィルタを切り替えて駆動パルスを印加することにより、周波数帯域幅及び中心周波数の異なる超音波を発生することができる。或いは、複数種類の周波数特性のトランスデューサ３０２を設けて選択的に使用するようにしてもよい。
【０１９２】
続いて、上述のように構成された本発明の第１実施形態に係わる超音波診断装置１０の作用について説明する。
【０１９３】
図１０は、本発明の第１実施形態に係わる超音波診断装置１０の制御部１００で行われる音速バラツキまたは減衰バラツキを表すバラツキ指標を求める全体の処理の流れの一例を表すフローチャートである。
【０１９４】
まず、ステップＳ３００において、Ｂモード画像を表示する。すなわち、オペレータによる操作卓２０２の表示モード切り替えボタンの操作に応じて、Ｂモード画像を表示部１０４に表示する。なお、Ｂモード画像を表示する際には、Ｂモード用の送信周波数となるように送信回路４０２の送信周波数変更部４０１を制御して超音波信号を超音波探触子３００によって受信する。
【０１９５】
次にステップＳ３０２において、着目領域を設定する。着目領域の設定は、例えば、オペレータの操作卓２０２やポインティングディバイス２０４の操作に応じた領域を着目領域として設定する。
【０１９６】
続いて、ステップＳ３０４において、送信周波数Ｎｏをｊ＝１に設定する。すなわち、予め定めた送信周波数Ｎｏ１の送信周波数になるように、制御部１００が送信周波数変更部４０１を制御することにより、送信周波数を変更する。なお、送信周波数は、例えば、肝硬変の１ｍｍ用としてＡ[MHz]、５ｍｍ用としてＢ[Mhz]、１０ｍｍ用としてＣ[MHz]のように、病変の進行度に応じて複数種類（この例では３種類）の送信周波数を予め定めた送信周波数Ｎｏと共にテーブルとして予め記憶しておき、対応する送信周波数Ｎｏの周波数に設定する。
【０１９７】
次に、ステップＳ３０６において、制御部１００の指示に従って送信回路４０２が超音波トランスデューサを制御することにより、着目領域内の各ラインに沿って所定数の送信焦点を設定し、周波数Ｆ（ｊ）で該当する送信フォーカスを実施し、各素子を介して受信回路４０４によって受信する。受信回路４０４によって受信したＲＦ信号はＡ／Ｄ変換器４０６によってデジタルＲＦ信号に変換される。
【０１９８】
このとき、各着目点に対応する送信フォーカスを選択するために、事前に各送信フォーカスの有効域を以下のようにして判定するようにしても良い。
【０１９９】
すなわち、まず送信フォーカスＮｏ（ｎ）を設定し、所定の指定ラインＮｏに対して指定ライン幅を加算／減算してラインＮｏ（ｍ）とし、焦点Ｎｏ（ｎ）及びラインＮｏ（ｍ）の各素子受信信号を読み込む。次に設定音速Ｎｏ（ｋ）を設定して、送信フォーカスＮｏ（ｎ）のラインＮｏ（ｍ）の受信信号に設定音速Ｎｏ（ｋ）の受信フォーカスを実施し、指標または画像を保存しておく。この処理を設定音速Ｎｏを変えて繰り返し行い、所定の設定音速について処理が終了したら、ラインＮｏを変更し、新たなラインＮｏに対してまた上記のように設定音速Ｎｏ（ｋ）を変えて送信フォーカスを実施する。
【０２００】
次に、各設定音速の全ラインの指標または画像から各深さの環境音速（平均音速）を求め、環境音速の深さ方向の標準偏差を算出し、最小点を実際の焦点深さと判定し、送信フォーカスＮｏ（ｎ）の有効域を求める。そして、送信フォーカスＮｏを変更して、次の送信フォーカスＮｏに対する有効域を上と同様にして求める。
【０２０１】
なお、各着目点に対応して送信フォーカスを実施するようにしても良い。
【０２０２】
次に、ステップＳ３０８において、データ解析計測部１０６ではＲＦ信号における着目領域内に、所定数（ｉ０）の着目点を設定する。着目点は一つ、すなわち所定数ｉ０は１でもよい。そして、以下の処理を行うことにより、ｉ０個の各着目点に対して、その着目点における音速バラツキまたは減衰バラツキを表すバラツキ指標を求める。
【０２０３】
まず、ステップＳ３１０において、データ解析計測部１０６ではＲＦ信号における着目領域内の所定数（ｉ０）の着目点のうち、着目点の番号を示すｉを１（ｉ＝１）とする。
【０２０４】
そして、ステップＳ３１２において、ｉ番目の着目点に対応する送信フォーカスの各素子受信データを選択し、該当データからｉ番目の着目点の音速バラツキまたは減衰バラツキを表すバラツキ指標を算出する。なお、バラツキ指標の求め方としては、別媒質の無い場合には、上述した図６のフローチャートに示す方法によって求められる。別媒質のある場合には、上述した図７のフローチャートに示す方法によって求められる。この時、着目領域とは別に、局所領域を設定し、また局所領域下面上の各格子点に対応する送信フォーカスの各素子受信データも使用する。
【０２０５】
次に、ステップＳ３１４において、データ解析計測部１０６では、着目点の番号ｉを１インクリメントして（ｉに１を加え）、次のステップＳ３１６で、ｉが設定された着目点の個数（所定数ｉ０）を超えたか否か判断する。その結果まだｉがｉ０を超えていない場合には、ステップＳ３１２に戻り、上記着目点ｉの音速バラツキまたは減衰バラツキを表すバラツキ指標を求める処理を繰り返す。一方、ｉがｉ０を超えたと判断された場合には、次のステップＳ３１８に移行する。
【０２０６】
ステップＳ３１８では、データ解析計測部１０６が各着目点ｉのバラツキ指標の総和をとり、それを着目領域におけるバラツキ指標とする。
【０２０７】
なお、本実施形態では、着目領域のバラツキ指標を各着目点のバラツキ指標の総和としているが、総和の代わりに、各着目点の指標を全て揃えた後に、その標準偏差をとって着目領域のバラツキ指標とするようにしてもよい。
【０２０８】
続いて、ステップＳ３２０では、送信周波数Ｎｏの番号ｊを１インクリメントして（ｊに１を加え）、次のステップＳ３２２で、送信周波数Ｎｏｊがｊ０を超えたか否か判断する。その結果まだ送信周波数Ｎｏｊがｊ０を超えていない場合には、ステップＳ３０６に戻り、上記送信周波数Ｎｏｊにおけるバラツキ指標を求める。なお、送信周波数Ｎｏｊ０は予め定めた値（例えば、２種類の周波数の場合にはｊ＝３でステップＳ３２２の判断が肯定される。
【０２０９】
次に、ステップＳ３２４では、各送信周波数のバラツキ指標を表示部１０４に表示して、ステップＳ３２６において、Ｂモード用送信周波数に戻す。すなわち、制御部１００が送信周波数変更部４０１を２以上に変更するように制御してそれぞれの周波数におけるバラツキ指標を求めて表示し、一連の組織性状診断するためのバラツキ指標を求める処理を終了する。
【０２１０】
以上、受信時刻・振幅・中心周波数の変化に基く種々の音速・減衰バラツキ指標、また平均音速・平均減衰の着目点位置による変化に基く種々のバラツキ指標を説明したが、本発明は以上の例には限定されず、本発明の要旨を逸脱しない範囲において他の種々のバラツキ指標を用いてもよいのはもちろんである。例えば、着目領域における各着目点の受信時刻・振幅・中心周波数に基く指標を全て揃えた後にそのヒストグラム形状特徴量として歪度や尖度などをバラツキ指標としても良いし、各着目点について指標を平均化した後に、その着目領域における分布の標準偏差やヒストグラム形状特徴量、または同時生起行列などによるテクスチャ特徴量、例えば一様性、コントラスト、相関、エントロピーなどをバラツキ指標としても良い。
【０２１１】
また、平均音速・平均減衰の着目領域における分布からも同様にヒストグラム特徴量やテクスチャ特徴量などをバラツキ指標とする事ができる。また、これらの特徴量を単独でバラツキ指標とするのではなく複数の特徴量から、例えば重回帰式を用いてバラツキ指標を求めても良い。
【０２１２】
このようにして音速あるいは減衰のバラツキを表す指標（バラツキ指標）を算出することにより、これを用いて組織性状の診断を行うことが可能となる。
【０２１３】
例えば、具体的な病変とこれに対する音速あるいは減衰のバラツキのデータを大量に蓄積し、これに基づいてバラツキ指標の値と組織性状の状態との対応を統計的に求め、組織性状の診断を行うためのバラツキ指標の閾値を予め設定しておく。そして、実際の診断においては、上で述べたような方法でバラツキ指標を求め、これを予め設定された閾値と比較することにより、組織性状の診断を行う。これにより、組織性状の診断が容易となる。
【０２１４】
さらに、２以上の送信周波数におけるバラツキ指標を求めることにより、各病変の検出を高精度かつ容易に行うことができる。例えば、このように求めた複数の周波数におけるバラツキ指標から、図８の重度、中度、正常の何れに合致するかを精度良く容易に診断することが可能となる。
（第２実施形態）
第１実施形態では、各素子信号の時間や、振幅、周波数等のバラツキに基づいて組織のミクロな音速・減衰不均一を計測するようにしたが、第２実施形態では、各素子信号に基づいて音速または減衰を求め、その空間的な変化に基づいて組織のミクロな音速・減衰不均一を計測するようにしたものであり、構成は第１実施形態の超音波診断装置１０と同一であり、制御部１００で行われる処理が相違するので、相違する処理について以下では説明する。
【０２１５】
図１１は、本発明の第２実施形態に係わる超音波診断装置の制御部で行われる音速または減衰のバラツキ指標を求める処理の流れの一例を表すフローチャートである。なお、図１１では、第１実施形態と同一処理については同一符号を付して簡単に説明する。
【０２１６】
まず、ステップＳ３００において、Ｂモード画像を表示し、次にステップＳ３０２において、着目領域を設定する。なお、Ｂモード画像を表示する際には、Ｂモード用の送信周波数となるように送信回路４０２の送信周波数変更部４０１を制御して超音波信号を超音波探触子３００によって受信する。
【０２１７】
続いて、ステップＳ３０４において、送信周波数Ｎｏをｊ＝１に設定する。すなわち、予め定めた送信周波数Ｎｏ１の送信周波数になるように、制御部１００が送信周波数変更部４０１を制御することにより、送信周波数を変更する。
【０２１８】
次に、ステップＳ３０６において、制御部１００の指示に従って送信回路４０２が超音波トランスデューサを制御することにより、着目領域内の各ラインに沿って所定数の送信焦点を設定し、周波数Ｆ（ｊ）で該当する送信フォーカスを実施し、各素子を介して受信回路４０４によって受信する。受信回路４０４によって受信したＲＦ信号はＡ／Ｄ変換器４０６によってデジタルＲＦ信号に変換される。
【０２１９】
続いて、ステップＳ３０８において、データ解析計測部１０６ではＲＦ信号における着目領域内に、所定数（ｉ０）の着目点を設定する。着目点は一つ、すなわち所定数ｉ０は１でもよい。そして、以下の処理を行うことにより、ｉ０個の各着目点に対して、その着目点における音速バラツキまたは減衰バラツキを表すバラツキ指標を求める。
【０２２０】
まず、ステップＳ３１０において、データ解析計測部１０６ではＲＦ信号における着目領域内の所定数（ｉ０）の着目点のうち、着目点の番号を示すｉを１（ｉ＝１）とする。
【０２２１】
そして、ステップＳ３１１において、ｉ番目の着目点に対応する送信フォーカスの各素子受信データを選択し、該データからｉ番目の着目点の音速または減衰を求める。なお、音速または減衰の求め方は、特に限定されるものではなく、例えば、以下に説明するような公知の方法で求めることができる。
【０２２２】
例えば、着目点の音速として環境音速（平均音速）を用いた場合の音速の求め方として、音速を着目領域の画像のシャープネスやコントラストなどの特性が最大となるような値として求める画像解析の手法（例えば、特開２００７−７０４５号公報等参照）が知られている。
【０２２３】
ここで、遅延時間設定のために想定される音速を設定音速と言い、超音波強度の方位方向に関する強度分布をビームプロファイルと言う。そして、受信回路で整相加算したエコー信号から設定音速が相違する複数のビームプロファイルを生成し、生成した複数のビームプロファイルを同一画面に重ねて表示し、設定音速が相違する複数のビームプロファイルの中の最小ビーム幅に対応するビームプロファイルの設定音速を生体音速として推定する。
【０２２４】
あるいは、設定音速によるビーム幅の変化を表すグラフを生成して、その変化を高次曲線で近似した近似曲線の極小値を抽出し、その極小値に対応する設定音速を環境音速として推定するようにしても良い。
【０２２５】
または、着目点の音速とは着目点の局所音速でも良い。この局所音速を求める方法にも様々なものがある。一例としては、第１実施形態のバラツキ指標の求め方で説明した局所領域における平均音速（局所音速）の求め方（例えば、特開２０１０−９９４５２号公報等の技術）を用いることができる。
【０２２６】
また、着目点の減衰の求め方としては、例えば、次のように、整合加算前の各素子受信信号を用いて減衰を求める方法が考えられる。
【０２２７】
例えば、送信フォーカスを掛けて擬似的な点反射を形成し、その各素子受信データを用いて、真中素子又は真中素子を含む開口で整合加算した後の受信信号の中心周波数の深さ方向の変化から単位伝播時間当たりの減衰係数の分布を求めることができる。あるいは、各素子受信信号の中心周波数は、送信波の中心周波数が、上記擬似的な点反射の深さと各素子位置によって決まる伝播距離での減衰によって決まる量だけ、低周波側にシフトした値である事から、各素子受信信号の中心周波数から送信波の中心周波数、点反射の深さ及び減衰係数の３未知数、または、上記擬似的な点反射の音速を求める際に、同時に深さも求まり、また送信波の中心周波数も既知として、減衰係数を求めるようにしてもよい。
【０２２８】
上記減衰係数の分布を求めるには、まず着目領域を設定し、その着目領域内の各ラインに沿って所定数の送信焦点を設定し、該当する送信フォーカスを実施して、各素子で受信する。次に、着目領域内において方位位置及び深さ位置に関して所定数の着目点を設定し、各着目点に対する送信フォーカスの各素子受信信号を選択し、その内から、真中素子の着目点の深さに相当する信号の中心周波数を求め、これを深さ位置方向に関して繰り返し行い、その各着目点の中心周波数を深さ方向に差分をとり、その結果を減衰係数として格納し、これを各方位位置に関して繰り返し行うことによって単位伝播時間当たりの減衰係数の分布が求められる。または、各着目点に対する送信フォーカスの各素子受信信号を選択し、送信波の中心周波数、着目点の深さ及び減衰係数の内、未知数を振って各素子受信信号の中心周波数に最も良く整合する減衰係数を着目点における減衰係数として格納し、これを各方位位置に関して繰り返し行うことによって減衰係数の分布を求める事ができる。
【０２２９】
また、上記各素子受信信号の中心周波数から局所的な減衰係数を求めるには、まず着目領域を設定し、その着目領域内の各ラインに沿って所定数の送信焦点を設定し、該当する送信フォーカスを実施して、各素子で受信する。次に、着目領域内において方位位置及び深さ位置に関して所定数の着目点を設定し、着目点を上面の中心に設置した局所領域を設定し、また局所領域下面に複数の格子点を設定し着目点から各格子を経由して各素子に至る伝播経路を求める。ここで各伝播経路は局所領域の局所音速を求める際に求める事ができる。次に、着目点に対応する送信フォーカスの各素子受信信号の中心周波数を各格子から各素子への経路に沿って逆シフトすることによって、局所領域下面の各格子点における中心周波数を求める。ここで各格子から各素子への経路に沿うシフト量は、別途各格子に該当する送信フォーカスを実施して得られた各素子受信信号から求める事ができる。一方、既に局所領域における着目点直下の格子⇒着目点⇒各格子の伝播経路長が局所音速を求める際に求まっている事から、局所領域内での減衰係数が一定であると仮定すると、着目点直下の格子における中心周波数と減衰係数から、伝播した後の各格子点における中心周波数を求める事ができる。そして着目点直下の格子における中心周波数は、別途、着目点直下の格子に該当する送信フォーカスを実施して得られた各素子受信信号から求める事ができる。従って、減衰係数を仮定して求めた各格子点における中心周波数と、着目点の各素子受信信号の中心周波数逆シフトにより求めた各格子点における中心周波数との誤差を求め、この誤差が最小となる減衰係数を真値として求める事ができる。着目点直下の格子における中心周波数が未知の場合でも、着目点直下の格子における中心周波数と減衰係数の2未知数を振って得られる各格子点における中心周波数と、中心周波数逆シフトにより
求めた各格子点における中心周波数とが最も良く整合する場合の減衰係数を採用すれば良い。
【０２３０】
以上のようにして、着目点ｉに対応する各素子受信データ、及び局所領域を設定する場合には、その下面上に設定する各格子点に対応する各素子受信データを用いて着目点ｉの音速あるいは減衰を求める。なお、局所領域下面及び各格子点の設定の仕方は、特に限定されるものではなく着目点の下側に任意の曲面上に設定することができる。例えば、組織や病変の境界上に設定してもよい。
【０２３１】
次に、ステップＳ３１４において、データ解析計測部１０６では、着目点の番号ｉを１インクリメントして（ｉに１を加え）、次のステップＳ３１６で、ｉが設定された着目点の個数（所定数ｉ０）を超えたか否か判断する。その結果まだｉがｉ０を超えていない場合には、ステップＳ３１２に戻り、上記着目点ｉの音速バラツキまたは減衰バラツキを表すバラツキ指標を求める処理を繰り返す。一方、ｉがｉ０を超えたと判断された場合には、次のステップＳ３１７に移行する。
【０２３２】
ステップＳ３１７では、データ解析計測部１０６が各着目点ｉの音速または減衰の着目領域における変化からバラツキ指標を求める。
【０２３３】
続いて、ステップＳ３２０では、送信周波数Ｎｏの番号ｊを１インクリメントして（ｊに１を加え）、次のステップＳ３２２で、送信周波数Ｎｏｊがｊ０を超えたか否か判断する。その結果まだ送信周波数Ｎｏｊがｊ０を超えていない場合には、ステップＳ３０６に戻り、上記送信周波数Ｎｏｊにおけるバラツキ指標を求める。なお、送信周波数Ｎｏｊ０は予め定めた値（例えば、２種類の周波数の場合にはｊ＝３でステップＳ３２２の判断が肯定される。
【０２３４】
次に、ステップＳ３２４では、各送信周波数のバラツキ指標を表示部１０４に表示して、ステップＳ３２６において、Ｂモード用送信周波数に戻す。すなわち、制御部１００が送信周波数変更部４０１を２以上に変更するように制御してバラツキ指標を求めて表示して一連の組織性状診断するためのバラツキ指標を求める処理を終了する。
【０２３５】
なお、バラツキ指標としては、着目領域内の音速あるいは減衰のバラツキの大きさに基づく指標、例えば標準偏差を用いることができる。または、各着目点の音速または減衰の着目領域における変化の空間周波数に基づく指標、例えば音速・減衰の２次元周波数分布を求め、その中心周波数・帯域・歪みから求めてもよい。
【０２３６】
或いは、その他、バラツキ指標として不均一性を評価可能な種々の指標が考えられる。例えば、着目領域における音速・減衰分布またはその空間周波数分布のヒストグラム形状特徴量として歪度や尖度などをバラツキ指標としても良いし、同時生起行列などによるテクスチャ特徴量、例えば一様性、コントラスト、相関、エントロピーなどをバラツキ指標としても良い。また、これらの特徴量を単独でバラツキ指標とするのではなく複数の特徴量から、例えば重回帰式を用いてバラツキ指標を求めても良い。
【０２３７】
このようにして音速あるいは減衰のバラツキを表す指標（バラツキ指標）を算出することにより、これを用いて組織性状の診断を行うことが可能となる。
【０２３８】
さらに、２以上の送信周波数におけるバラツキ指標を求めることにより、第１実施形態と同様に、各病変の検出を高精度かつ容易に行うことができる。
【０２３９】
なお、上記の第１実施形態及び第２実施形態では、２種類以上の送信周波数におけるバラツキ指標を求める場合を説明したが、これに限るものではなく、２種類以上の受信周波数におけるバラツキ指標を求めるようにしてもよい。例えば、以下に第１実施形態に対して病変の進行度に応じて予め定めた２種類以上の受信周波数におけるバラツキ指標を求める場合の例を説明する。なお、以下では、第１実施形態に対して受信周波数を変更する場合について説明するが、第２実施形態に対して２以上の受信周波数におけるバラツキ指標を求めるようにしてもよい。
【０２４０】
２以上の受信周波数におけるバラツキ指標を求める際の受信周波数の変更方法としては、広帯域周波数の超音波トランスデューサ３０２によって広帯域周波数の超音波を送信して、受信回路４０４に受信周波数変更部を設けて受信周波数変更部によって受信周波数を変更する。受信周波数変更部は、例えば、バンドパスフィルタ等のフィルタを用いることにより、受信周波数を変更することができる。すなわち、受信回路４０４に受信周波数変更部として複数種類のバンドパスフィルタを設けて、制御部１００の制御によって使用するバンドパスフィルタを変更することにより、広帯域周波数の超音波信号から所望の周波数の信号を得ることができる。
【０２４１】
図１２は、超音波診断装置の制御部１００で行われる２以上の受信周波数における音速バラツキまたは減衰バラツキを表すバラツキ指標を求める全体の処理の流れの一例を表すフローチャートである。なお、図１２では、第１実施形態と同一処理については同一符号を付して簡単に説明する。
【０２４２】
すなわち、まず、ステップＳ３００において、Ｂモード画像を表示し、次にステップＳ３０２において、着目領域を設定する。なお、Ｂモード画像を表示する際には、Ｂモード用の受信周波数となるように受信回路４０４を制御して超音波信号を超音波探触子３００によって受信する。
【０２４３】
次に、ステップＳ３０３において、制御部１００の指示に従って送信回路４０２が超音波トランスデューサを制御することにより、着目領域内の各ラインに沿って所定数の送信焦点を設定し、該当する送信フォーカスを実施し、各素子を介して受信回路４０４によって受信する。
【０２４４】
続いて、ステップＳ３０５において、受信周波数Ｎｏをｊ＝１に設定する。すなわち、予め定めた受信周波数Ｎｏ１の受信周波数になるように、制御部１００が受信回路４０４を制御することにより、受信周波数を変更し、ステップＳ３０７において、各素子受信信号に中心周波数Ｆ（ｊ）のバンドパスフィルタを掛ける。すなわち、制御部１００が受信回路４０４を制御して、受信周波数Ｎｏｊの周波数の受信信号とするためにバンドパスフィルタを選択して、受信信号を受信する。そして、受信回路４０４によって受信したＲＦ信号はＡ／Ｄ変換器４０６によってデジタルＲＦ信号に変換される。
【０２４５】
次に、ステップＳ３０８において、データ解析計測部１０６ではＲＦ信号における着目領域内に、所定数（ｉ０）の着目点を設定して、ステップＳ３１０において、データ解析計測部１０６がＲＦ信号における着目領域内の所定数（ｉ０）の着目点のうち、着目点の番号を示すｉを１（ｉ＝１）とする。
【０２４６】
そして、ステップＳ３１２において、ｉ番目の着目点に対応する送信フォーカスの各素子受信データを選択し、該当データからｉ番目の着目点の音速バラツキまたは減衰バラツキを表すバラツキ指標を算出する。
【０２４７】
次に、ステップＳ３１４において、データ解析計測部１０６では、着目点の番号ｉを１インクリメントして（ｉに１を加え）、次のステップＳ３１６で、ｉが設定された着目点の個数（所定数ｉ０）を超えたか否か判断する。その結果まだｉがｉ０を超えていない場合には、ステップＳ３１２に戻り、上記着目点ｉの音速バラツキまたは減衰バラツキを表すバラツキ指標を求める処理を繰り返す。一方、ｉがｉ０を超えたと判断された場合には、次のステップＳ３１８に移行する。
【０２４８】
ステップＳ３１８では、データ解析計測部１０６が各着目点ｉのバラツキ指標の総和をとり、それを着目領域におけるバラツキ指標とする。
【０２４９】
なお、本実施形態では、着目領域のバラツキ指標を各着目点のバラツキ指標の総和としているが、総和の代わりに、各着目点の指標を全て揃えた後に、その標準偏差をとって着目領域のバラツキ指標とするようにしてもよい。
【０２５０】
続いて、ステップＳ３２０では、受信周波数Ｎｏの番号ｊを１インクリメントして（ｊに１を加え）、次のステップＳ３２２で、受信周波数Ｎｏｊがｊ０を超えたか否か判断する。その結果まだ受信周波数Ｎｏｊがｊ０を超えていない場合には、ステップＳ３０６に戻り、上記受信周波数Ｎｏｊにおけるバラツキ指標を求める。なお、受信周波数Ｎｏｊ０は予め定めた値（例えば、２種類の周波数の場合にはｊ＝３でステップＳ３２２の判断が肯定される。
【０２５１】
次に、ステップＳ３２４では、各受信周波数のバラツキ指標を表示部１０４に表示する。すなわち、制御部１００が受信回路４０４を制御して２以上の受信周波数に変更してそれぞれの周波数におけるバラツキ指標を求めて表示し、一連の組織性状診断するためのバラツキ指標を求める処理を終了する。
【０２５２】
このように受信周波数を変更するようにしても第１実施形態と同様に、各病変の検出を高精度かつ容易に行うことができる。
【０２５３】
以上、本発明に係る超音波診断装置及び超音波診断装置の制御方法について詳細に説明したが、本発明は、以上の例には限定されず、本発明の要旨を逸脱しない範囲において、各種の改良や変形を行ってもよいのはもちろんである。
【０２５４】
また、上記の実施の形態では、各周波数のバラツキ指標を表示するようにしたが、これに限るものではなく、各周波数のバラツキ指標を表示するのみではなく、予め各病変に対応するバラツキ指標値データを保持しておき、それとの差分絶対値や２乗和、またはその値が最大となる病変名等を表示するようにしてもよい。
【０２５５】
なお、上記の実施の形態における制御部１００が行う処理は、プログラムとして各種記憶媒体に記憶して流通するようにしてもよい。
【符号の説明】
【０２５６】
１０    超音波診断装置
１００    制御部
１０６    データ解析計測部
３００    超音波探触子
３０２    超音波トランスデューサ
４００    送受信部
４０１    送信周波数変更部
４０２    送信回路
４０４    受信回路
【図２】
0006008580.tif 000002
【図６】
0006008580.tif 000003
【図７】
0006008580.tif 000004
【図９】
0006008580.tif 000005
【図１０】
0006008580.tif 000006
【図１１】
0006008580.tif 000007
【図１２】
0006008580.tif 000008
【図１】
0006008580.tif 000009
【図３】
0006008580.tif 000010
【図４】
0006008580.tif 000011
【図５】
0006008580.tif 000012
【図８】
0006008580.tif 000013
【図１３】
0006008580.tif 000014